(57)【要約】      （修正有）【課題】ロット部とそれに組み合わされる部品を相互に不回転で且つ安全な状態に保持できる回転防止の安全工具の提供。【解決手段】  工具４０のロッド部２０に接続部１０が組み合わされ、接続部の底部が係止部１１とされ、該接続部に横向きに貫通する係止孔が設けられ、工具のロッド部が該接続部の係止孔１２を貫通し、係止孔の中央に垂直に上向きに貫通孔１３が設けられた回転防止の安全工具において、ロッド部に回転防止部４２０が設けられ、接続部内に位置決め手段３０が設けられて該位置決め手段がロッド部の回転防止部と組み合わされてロッド部に対して回転防止する。【選択図】  図２
2006015465.tif 000002
【特許請求の範囲】
【請求項１】
回転防止の安全工具において、工具がロッド部を具え、該ロッド部に回転防止部が設けられ、他の部品との組合せ時に回転防止の安全使用形態を保持することを特徴とする、回転防止の安全工具。
【請求項２】
工具のロッド部に接続部が組み合わされ、接続部の底部が係止部とされ、該接続部に横向きに貫通する係止孔が設けられ、工具のロッド部が該接続部の係止孔を貫通し、係止孔の中央に垂直に上向きに貫通孔が設けられた回転防止の安全工具において、
ロッド部に回転防止部が設けられ、
接続部内に位置決め手段が設けられて該位置決め手段がロッド部の回転防止部と組み合わされてロッド部に対して回転防止することを特徴とする、回転防止の安全工具。
【請求項３】
請求項２記載の回転防止の安全工具において、ロッド部の少なくとも一側に平直な回転防止部が設けられ、回転防止部の端部近くに固定部が設けられて、接続部に通されたロッド部の該固定部に固定体が固定されてロッド部の接続部からの脱出が防止されたことを特徴とする、回転防止の安全工具。
【請求項４】
請求項２記載の回転防止の安全工具において、接続部内に位置決め手段が組付けられ、該位置決め手段にあって接続部の係止孔内に位置する部分に位置決め部が設けられて、該位置決め部がロッド部の回転防止部と組み合わされてロッド部の回転を防止し、位置決め手段の位置決め部の中央より垂直に固定部が延伸され、この位置決め手段の固定部が接続部の貫通孔内に挿入され、位置決め手段の固定部の上端の貫通孔において露出する端面に表示部が形成され、該表示部の端面に商標或いはサイズ或いはその他の様式の表示体が設けられたことを特徴とする、回転防止の安全工具。
【請求項５】
請求項１記載の回転防止の安全工具において、工具がロッド状の接続手段形態とされて、該工具の一端が大径で内孔を具えた形態の係合部とされ、該係合部の別端がロッド部とされ、ロッド部の別端が係止端とされ、工具のロッド部に平直面形態の回転防止部が形成されたことを特徴とする、回転防止の安全工具。
【請求項６】
回転防止の安全工具において、接続部を具え、該接続部に二組の工具が組み合わされ、且つ該工具がロッド部を具え並びにロッド部に回転防止部が設けられ、接続部に二組の交叉状に設置された係止孔と、垂直に設置された貫通孔が設けられ、貫通孔内に位置決め手段が設けられ、並びに接続部内の二つの工具間に回復手段が設けられたことを特徴とする、回転防止の安全工具。
【請求項７】
請求項６記載の回転防止の安全工具において、接続部の係止孔の上下端縁に直接平直な回転防止部が設けられたことを特徴とする、回転防止の安全工具。
【請求項８】
請求項６記載の回転防止の安全工具において、工具のロッド部に対応する回転防止部が設けられ、工具はロッド状の接続手段形態とされて、そのうち一方の工具の一端が大径で内孔を具えた形態の係合部とされ、該係合部の別端がロッド部とされ、ロッド部の別端が係止端とされ、もう一方の工具はロッド部の両端にソケット形態の係合部が設けられたことを特徴とする、回転防止の安全工具。
【請求項９】
請求項６記載の回転防止の安全工具において、接続部の上部と底部に設けられた貫通孔の内縁に雌ネジ形態の螺子止め部が設けられ、位置決め手段の工具を制圧する端部に位置決め部が設けられ、位置決め手段の位置決め部の中央に垂直に固定部が設けられて螺子止め部と螺合され、固定部の上部の貫通孔において露出する端面に表示部が形成され、該表示部の端面に表示体が設けられたことを特徴とする、回転防止の安全工具。
【請求項１０】
請求項６記載の回転防止の安全工具において、工具間の接続部の内部空間に弾性を具えた回復手段が設けられ、該回復手段に上と下の二組の耐磨パッドが組み合わされたことを特徴とする、回転防止の安全工具。
【発明の詳細な説明】
【技術分野】
【０００１】
本発明は回転防止の安全工具に係り、特に、Ｔロッド、十字レンチ或いは接続ロッド等の工具を指し、それは延長ロッド部の工具形態を具え、ロッド部に回転防止部が設けられ、接続部或いはその他の工具と組み合わされる時に、回転防止の安全状態を保持でき、高い実用性を具えた、回転防止の安全工具に関する。
【背景技術】
【０００２】
本体が円形ロッド状の工具は非常に多く、そのうち、Ｔ型或いは十字型のレンチは、そのロッド部が円柱ロッドの構造形態とされている。例えば、図７に示されるものでは、接続部１０に工作物或いはソケット或いは接続手段が嵌合される係止部１１が設けられ、該接続部１０に横向きに円形ロッド状のロッド部２０がスライド自在に通され、使用者はロッド部を操作して大きなトルクを以て係止部で、或いは係止部に嵌合されたソケット或いは接続手段を介して工作物を駆動できる。このような構造は以下のような欠点を有している。
１．使用上の安全性に問題がある。
工作物を駆動する時、使用者は手でロッド部を回すが、ロッド部は円形ロッドであるため不当な回転を発生することがあり、使用者がロッド部を握持して確実に力を入れて操作できず、ロッド部が滑って移動し、不当な急速移動を発生して他の物品に衝突し不必要な損害を形成することがある。
２．ロッド部と接続部間の緩い結合によりロッド部がスライドし、安全でなく実用性が低い。
接続部とロッド部の間の嵌合はゆるく組み合わされた形態とされ、ロッド部を操作して物品を駆動する時、使用者がロッド部から手を緩めると、ロッド部が接続部内でスライドし、回すのに最適の位置を保持できず、新たに調整しなければならなくなり、且つこのロッド部がスライドする過程で、ロッド部が他の物品に衝突してその物品を損傷し、また、安全性に影響を与え、且つ実用性が低くなる。
【０００３】
また、十字レンチについては、その基本構造は図８のようであり、そのロッド部２０もまた円形ロッド状を呈し、使用者はロッド部２０を握持する時に確実な施力が行なえず、高い安全性を達成できない。且つその全体は固定式の十字構造とされ、収納や使用上不便である。このため業者によっては二つのロッド部２０を交叉させて中心部で枢設した形態を採用し、これにより二つのロッド部２０を折り畳んだ収納形態或いは展開した十字形の使用形態とすることができるようにしている。このような十字レンチは中央の枢設部分に応力集中の破壊点が形成されてそこが破壊されやすく、且つ施力時に二つのロッド部２０の長さを一定に保持する必要があり、異なる要求に対して施力アームを変化させることができず、改良の必要がある。
【発明の開示】
【発明が解決しようとする課題】
【０００４】
本発明は工具のロッド部とそれに組み合わされる部品を相互に不回転で且つ安全な状態に保持できる回転防止の安全工具を提供するものである。
【０００５】
即ち、本発明の主要な目的は、一種の回転防止の安全工具を提供することにあり、それは、工具のロッド部に回転防止面が設けられ、接続部に係止孔と位置決め手段が設けられ、ロッド部と接続部の組合せを安定した状態に保持でき、高い安全性の要求を達成できるものとする。
【課題を解決するための手段】
【０００６】
請求項１の発明は、回転防止の安全工具において、工具がロッド部を具え、該ロッド部に回転防止部が設けられ、他の部品との組合せ時に回転防止の安全使用形態を保持することを特徴とする、回転防止の安全工具としている。
請求項２の発明は、工具のロッド部に接続部が組み合わされ、接続部の底部が係止部とされ、該接続部に横向きに貫通する係止孔が設けられ、工具のロッド部が該接続部の係止孔を貫通し、係止孔の中央に垂直に上向きに貫通孔が設けられた回転防止の安全工具において、
ロッド部に回転防止部が設けられ、
接続部内に位置決め手段が設けられて該位置決め手段がロッド部の回転防止部と組み合わされてロッド部に対して回転防止することを特徴とする、回転防止の安全工具としている。
請求項３の発明は、請求項２記載の回転防止の安全工具において、ロッド部の少なくとも一側に平直な回転防止部が設けられ、回転防止部の端部近くに固定部が設けられて、接続部に通されたロッド部の該固定部に固定体が固定されてロッド部の接続部からの脱出が防止されたことを特徴とする、回転防止の安全工具としている。
請求項４の発明は、請求項２記載の回転防止の安全工具において、接続部内に位置決め手段が組付けられ、該位置決め手段にあって接続部の係止孔内に位置する部分に位置決め部が設けられて、該位置決め部がロッド部の回転防止部と組み合わされてロッド部の回転を防止し、位置決め手段の位置決め部の中央より垂直に固定部が延伸され、この位置決め手段の固定部が接続部の貫通孔内に挿入され、位置決め手段の固定部の上端の貫通孔において露出する端面に表示部が形成され、該表示部の端面に商標或いはサイズ或いはその他の様式の表示体が設けられたことを特徴とする、回転防止の安全工具としている。
請求項５の発明は、請求項１記載の回転防止の安全工具において、工具がロッド状の接続手段形態とされて、該工具の一端が大径で内孔を具えた形態の係合部とされ、該係合部の別端がロッド部とされ、ロッド部の別端が係止端とされ、工具のロッド部に平直面形態の回転防止部が形成されたことを特徴とする、回転防止の安全工具としている。
請求項６の発明は、回転防止の安全工具において、接続部を具え、該接続部に二組の工具が組み合わされ、且つ該工具がロッド部を具え並びにロッド部に回転防止部が設けられ、接続部に二組の交叉状に設置された係止孔と、垂直に設置された貫通孔が設けられ、貫通孔内に位置決め手段が設けられ、並びに接続部内の二つの工具間に回復手段が設けられたことを特徴とする、回転防止の安全工具としている。
請求項７の発明は、請求項６記載の回転防止の安全工具において、接続部の係止孔の上下端縁に直接平直な回転防止部が設けられたことを特徴とする、回転防止の安全工具としている。
請求項８の発明は、請求項６記載の回転防止の安全工具において、工具のロッド部に対応する回転防止部が設けられ、工具はロッド状の接続手段形態とされて、そのうち一方の工具の一端が大径で内孔を具えた形態の係合部とされ、該係合部の別端がロッド部とされ、ロッド部の別端が係止端とされ、もう一方の工具はロッド部の両端にソケット形態の係合部が設けられたことを特徴とする、回転防止の安全工具としている。
請求項９の発明は、請求項６記載の回転防止の安全工具において、接続部の上部と底部に設けられた貫通孔の内縁に雌ネジ形態の螺子止め部が設けられ、位置決め手段の工具を制圧する端部に位置決め部が設けられ、位置決め手段の位置決め部の中央に垂直に固定部が設けられて螺子止め部と螺合され、固定部の上部の貫通孔において露出する端面に表示部が形成され、該表示部の端面に表示体が設けられたことを特徴とする、回転防止の安全工具としている。
請求項１０の発明は、請求項６記載の回転防止の安全工具において、工具間の接続部の内部空間に弾性を具えた回復手段が設けられ、該回復手段に上と下の二組の耐磨パッドが組み合わされたことを特徴とする、回転防止の安全工具としている。
【発明の効果】
【０００７】
本発明は以下のような目的と効果を達成する。
１．安全性が高い。
接続部に工具のロッド部に対応するよう設置された回転防止部が施力時の回転防止の効果を提供し、ロッド部を旋回させる過程での不当な回転を防止し、使用者が確実にロッド部或いは工具を握持でき、安全性を高めることができる。
２．使用の便利性が高い。
接続部に組み合わされた位置決め手段にロッド部の回転防止部が組み合わされることで、接続部とロッド部が最適な作業位置に保持され、手を離した後にロッド部がスライドして新たに調整が必要となることがない。
３．実際の必要に応じた位置決めが行なえる。
ロッド部が位置決め手段と回復手段の組合せにより弾性位置決めを形成する構造形態により、ロッド部のどの位置でも位置決めと回転防止が行なえ、異なる環境及び使用上の要求に対応できる。
４．作業時の施力アームが有効に調整される。
ロッド部が接続部に対してスライドさせられてから位置決めされ、使用者は施力の必要に応じてロッド部の長さを延長或いは短縮でき、効率的な施力を行なうことができ、全体の使用効率が高められる。
５．製造に便利である。
ロッド部には特別な位置決め構造を製作する必要がなく、伝統的な工具を使用した場合にも確実に緊迫位置決めの目的を達成できる。
【０００８】
総合すると、本発明は上述の諸機能を達成し、ゆえに本発明は新規性、進歩性及び産業上の利用価値を有する発明である。
【発明を実施するための最良の形態】
【０００９】
図１及び図２に示されるように、本発明の工具形態はＴ形工具或いは十字レンチ或いは接続ロッド或いは延伸ロッドが組み合わされて延長使用される工具とされる。そのうち、Ｔ形工具を例に説明をすると、それは接続部（１０）の底部に係止部（１１）が設けられて工作物或いはソケット或いはその他の工具の接続に供され、該係止部（１１）の上部の大径の本体に横向きの係止孔（１２）が穿たれ、ロッド部（２０）の通過に供され、その係止孔（１２）の中央に垂直に上向きに貫通孔（１３）が設けられている。本発明の特徴は以下のとおりである。
【００１０】
接続部（１０）内にロッド部（２０）の構造に対応して該ロッド部（２０）に回転防止の機能を提供する位置決め手段（３０）が設けられている。
【００１１】
該ロッド部（２０）は少なくとも一側に平直な回転防止部（２１）が設けられ、並びに回転防止部（２１）の端部近くに凹んだ固定部（２２）が設けられ、ビーズ形態の固定体（２３）が該固定部（２２）に嵌め込まれる。固定部（２２）に固定体（２３）が嵌め込まれる前に、ロッド部（２０）は接続部（１０）の係止孔（１２）に通されてから固定され、ロッド部（２０）は接続部（１０）に対してスライド不能とされ脱出しない。
【００１２】
接続部（１０）にロッド部（２０）が組み合わされる前に、接続部（１０）に位置決め手段（３０）が組み合わされ、位置決め手段（３０）はＴ形の弾性体とされ、位置決め手段（３０）にあって、接続部（１０）の係止孔（１２）内に位置する下部に、下端が平直状の位置決め部（３１）が設けられてロッド部（２０）の回転防止部（２１）と組み合わされて回転防止する。位置決め手段（３０）の位置決め部（３１）の中央より垂直に円柱状の固定部（３２）が設けられ、該固定部（３２）は接続部（１０）の貫通孔（１３）内に挿入されて該固定部（３２）の上部の貫通孔（１３）部分に露出した端面に表示部（３３）が設けられ、表示部（３３）に商標或いはサイズ或いはその他の様式の表示体（３４）が設けられ、表示性の極めて良好な構造形態を形成している。
【００１３】
本発明の接続部（１０）には一般のロッド状工具を組み合わせて使用でき、図１、２では接続ロッド形態の工具（４０）が組み合わされている。該工具（４０）の一端は大径とされて方形内孔を具えた係合部（４１）とされ、接続部（１０）の係止部（１１）と嵌合され、係合部（４１）の反対端より円形ロッド状のロッド部（４２）が延伸され、該ロッド部（４２）の別端に方形柱状でスチールボールを具えた係止端（４３）が設けられている。この工具（４０）のロッド部（４２）には平直面形態の回転防止部（４２０）が設けられ、図３のように使用される時、その工具（４０）の回転防止部（４２０）が位置決め手段（３０）の位置決め部（３１）と組み合わされて回転防止する。また本発明の接続部（１０Ａ）は直接二組の工具のロッド部（４２）の回転防止部（４２０）に組合せることができ、図４、５、６に示されるように、その接続部（１０Ａ）は二組の垂直に交叉するよう設置された係止孔（１２Ａ）を具え、且つ係止孔（１２Ａ）の上端と下端に直接平直な回転防止部（１２０）が設けられ、二つの交叉する工具（４０）、（４０Ａ）のロッド部（４２）、（４２Ａ）に対応する回転防止部（４２０）、（４２０Ａ）が設けられ、工具（４０）、（４０Ａ）のうち、工具（４０）は図１から図３に示される接続ロッドの構造形態とされ、工具（４０）の一端は大径とされ方形内孔を具えた係合部（４１）とされ、ロッド部（４２）の別端は方形柱状でスチールボールを具えた係止端（４３）とされ、もう一方の工具（４０Ａ）はロッド部（４２Ａ）の両端にソケット形態の係合部（４１）が設けられ、十字レンチの構造形態を形成している。接続部（１０）の上部と底部に別に垂直孔状の貫通孔（１３）が設けられ、並びに貫通孔（１３）の内周に雌ネジ形態の螺子止め部（１３０）が設けられ、位置決め手段（３０Ａ）が工具（４０）、（４０Ａ）を圧迫する端部に平直状の位置決め部（３１Ａ）が設けられ、位置決め部（３１Ａ）の中央より垂直に延伸された円柱状の雄ネジ形態の固定部（３２Ａ）と螺子止め部（１３０）が固定され、固定部（３２Ａ）の上部の貫通孔（１３）において露出する端面に表示部（３３Ａ）が設けられ、表示部（３３Ａ）の端面に商標或いはサイズ或いはその他の様式の一字状の表示体（３４Ａ）が設けられ、この表示構造の形態は展示性が極めて良好で直接取付できる。また、二つの工具（４０）、（４０Ａ）の間の接続部（１０）の空間内に、別に弾性を具えた回復手段（５０）が設けられ、該回復手段（５０）に上と下の二組の耐磨パッド（５１）が組み合わされ、二つの工具（４０）、（４０Ａ）に対して弾性摩擦の力を提供する。
【図面の簡単な説明】
【００１４】
【図１】本発明の立体外観図である。
【図２】本発明のシステム分解図である。
【図３】本発明の第２実施例表示図である。
【図４】本発明の第３実施例表示図である。
【図５】本発明の第３実施例の分解図である。
【図６】本発明の第３実施例の実施表示図である。
【図７】周知の工具表示図である。
【図８】周知の十字レンチの表示図である。
【符号の説明】
【００１５】
１０、１０Ａ  接続部                    １１  係止部
１２、１２Ａ  係止孔
１２０  回転防止部
１３  貫通孔                            １３０  螺子止め部
２０  ロッド部                      ２１  回転防止部
２２  固定部                            ２３  固定体
３０、３０Ａ  位置決め手段
３１、３１Ａ  位置決め部
３２、３２Ａ  固定部
３３、３３Ａ  表示部
３４、３４Ａ  表示体
４０、４０Ａ  工具
４１、４１Ａ  係合部
４２、４２Ａ  ロッド部
４３  係止端
４２０、４２０Ａ  回転防止部
５０  回復手段
５１  耐磨パッド
【図１】
2006015465.tif 000003
【図２】
2006015465.tif 000004
【図３】
2006015465.tif 000005
【図４】
2006015465.tif 000006
【図５】
2006015465.tif 000007
【図６】
2006015465.tif 000008
【図７】
2006015465.tif 000009
【図８】
2006015465.tif 000010